(57)【特許請求の範囲】
【請求項１】
鋼製の下部構造体と、鋼製の上部構造体とを備え、
下部構造体が、底板と、底板の一方の縁部に連結され、底板の面に対して直角に上方に延びた後板と、底板の他方の縁部に連結され、底板の面に対して直角に上方に延びた前板とを有し、前記前板の高さが、前記後板の高さよりも低く、
上部構造体が、頂板と、頂板の一方の縁部に連結され、頂板の面に対して直角に下方に延びた後板と、頂板の他方の縁部に連結され、頂板の面に対して後板から遠去かる方へ斜め下方に延びた傾斜板と、傾斜板の縁部に連結され、後板と平行に下方に延びた前板とを有し、上部構造体の前板の高さが、下部構造体の前板の高さと略同じであり、
上部構造体を下部構造体に嵌め込むことができるように、下部構造体の後板の内面と下部構造体の前板の内面との間隔が、上部構造体の後板の外面と上部構造体の前板の外面との間隔と略等しくなるように形成されており、
上部構造体の傾斜板に、適当な間隔を隔てて、複数の開口が設けられており、
下部構造体に嵌め込まれた上部構造体が脱落するのを防止するための固定装置を更に備え、固定装置が、上部構造体の後板に回動可能に取付けられたアーム部材と、アーム部材を押し込んだときにアーム部材の先端が係止されるように下部構造体の後板に設けられた突起とを有していることを特徴とする橋面排水溝。
【請求項２】
上部構造体の傾斜板に取付けられ、開口を塞ぐカバー装置を更に備えており、前記カバー装置が、カバーと、カバーを上部構造体の傾斜板に回動可能に取付けるシャフトとを有しており、カバーに水圧が作用するとカバーが回動して開口を塞ぎ、カバーに水圧が作用しないとカバー自体の重量によりカバーが垂下して開口が開くように構成されていることを特徴とする請求項１に記載の橋面排水溝。
【請求項３】
前記カバー装置が、カバーと、カバーを上部構造体の傾斜板に回動可能に取付けるシャフトとを有しており、カバーに水圧が作用しないとシャフトに装着されたバネによってカバーが垂下して開口が開き、カバーに水圧が作用するとカバーがバネ力に抗して回動して開口を塞ぐように構成されていることを特徴とする請求項１又は２に記載の橋面排水溝。
【発明の詳細な説明】
【０００１】
【発明の属する技術分野】
本発明は一般に、橋面排水溝に関する。より詳細には、本発明は、特に積雪地帯での使用を考慮した、設置・交換および維持管理の容易な橋面排水溝に関する。
【０００２】
【発明が解決しようとする課題】
橋面の側部には通常、コンクリート製縁石が設置されている。また、従来、橋面の排水手段としては、橋桁の腹部に横引管を設け、これにより橋面に溜まった水を排水するようになっている。しかしながら、積雪地帯では、除雪車のプラウによって、コンクリート製縁石が破損する被害が続出している。また、従来の排水手段では、橋桁の腹部に横引管を設けるため、橋梁の景観が損なわれるとともに、横引管に土砂や塵埃が堆積して十分に排水されない事態が発生することがあり、その結果、橋梁の主構造に悪影響を及ぼすという不都合もあった。
【０００３】
一方、内部が排水路となっている鋼製縁石が使用されている例もある。しかしながら、既存の鋼製縁石は、設置や交換が容易ではなく、排水路を高圧水で洗浄する際に手間がかかるという課題があり、満足のゆく橋面排水溝が見当たらないのが現状である。
【０００４】
したがって、本発明は、特に積雪地帯での使用を考慮した、設置・交換および維持管理の容易な橋面排水溝を提供することを目的としている。
【０００５】
【課題を解決するための手段】
本願請求項１に記載の橋面排水溝は、鋼製の下部構造体と、鋼製の上部構造体とを備え、下部構造体が、底板と、底板の一方の縁部に連結され、底板の面に対して直角に上方に延びた後板と、底板の他方の縁部に連結され、底板の面に対して直角に上方に延びた前板とを有し、前記前板の高さが、前記後板の高さよりも低く、上部構造体が、頂板と、頂板の一方の縁部に連結され、頂板の面に対して直角に下方に延びた後板と、頂板の他方の縁部に連結され、頂板の面に対して後板から遠去かる方へ斜め下方に延びた傾斜板と、傾斜板の縁部に連結され、後板と平行に下方に延びた前板とを有し、上部構造体の前板の高さが、下部構造体の前板の高さと略同じであり、上部構造体を下部構造体に嵌め込むことができるように、下部構造体の後板の内面と下部構造体の前板の内面との間隔が、上部構造体の後板の外面と上部構造体の前板の外面との間隔と略等しくなるように形成されており、上部構造体の傾斜板に、適当な間隔を隔てて、複数の開口が設けられており、下部構造体に嵌め込まれた上部構造体が脱落するのを防止するための固定装置を更に備え、固定装置が、上部構造体の後板に回動可能に取付けられたアーム部材と、アーム部材を押し込んだときにアーム部材の先端が係止されるように下部構造体の後板に設けられた突起とを有していることを特徴とするものである。
【０００６】
本願請求項２に記載の橋面排水溝は、前記請求項１の橋面排水溝において、上部構造体の傾斜板に取付けられ、開口を塞ぐカバー装置を更に備えており、前記カバー装置が、カバーと、カバーを上部構造体の傾斜板に回動可能に取付けるシャフトとを有しており、カバーに水圧が作用するとカバーが回動して開口を塞ぎ、カバーに水圧が作用しないとカバー自体の重量によりカバーが垂下して開口が開くように構成されていることを特徴とするものである。
【０００７】
本願請求項３に記載の橋面排水溝は、前記請求項１又は２の橋面排水溝において、前記カバー装置が、カバーと、カバーを上部構造体の傾斜板に回動可能に取付けるシャフトとを有しており、カバーに水圧が作用しないとシャフトに装着されたバネによってカバーが垂下して開口が開き、カバーに水圧が作用するとカバーがバネ力に抗して回動して開口を塞ぐように構成されていることを特徴とするものである。
【００１２】
【発明の実施の形態】
次に、図面を参照して、本発明の実施の形態について詳細に説明する。図１（ａ）は、本発明の第１の実施の形態に係る橋面排水溝の平面図、図１（ｂ）は、図１（ａ）の橋面排水溝の正面図、図１（ｃ）は、図１（ａ）の橋面排水溝の側面図である。図２は、図面の簡単化のため、後述するアンカー部材、アングル材およびカバー部材を取り除いた橋面排水溝の側面図である。図１において全体として参照符号１０で示される本発明の第１の実施の形態に係る橋面排水溝は、鋼製の下部構造体１２と、鋼製の上部構造体１４とを備えている。
【００１３】
下部構造体１２は、図２に最も良く示されるように、底板１２ａと、底板１２ａの一方の縁部に連結され、底板１２ａの面に対して直角に上方に延びた後板１２ｂと、底板１２ａの他方の縁部に連結され、底板１２ａの面に対して直角に上方に延びた前板１２ｃとを有している。前板１２ｃの高さは、後板１２ｂの高さよりも低い。また、後板１２ｂの内面と前板１２ｃの内面との間隔は、図２に示されるように、Ｗである。
【００１４】
なお、下部構造体１２の底板１２ａ、後板１２ｂ、及び前板１２ｃは好ましくは、鋼板を折り曲げることによって一体に形成されている。
【００１５】
下部構造体１２の後板１２ｂの外面には、詳細には後述するように、コンクリートに定着させるのに用いられるアンカー部材１６が、所定間隔を隔てて、溶接等によって固定されている。アンカー部材１６は典型的には、鉄筋を「コ」の字形に折り曲げたものが使用される。また、下部構造体１２の前部には、橋面排水溝１０を設置する際に使用されるアングル材１８が取付けられている。
【００１６】
上部構造体１４は、図２に最も良く示されるように、頂板１４ａと、頂板１４ａの一方の縁部に連結され、頂板１４ａの面に対して直角に下方に延びた後板１４ｂと、頂板１４ａの他方の縁部に連結され、頂板１４ａの面に対して後板１４ｂから遠去かる方へ斜め下方に延びた傾斜板１４ｃと、傾斜板１４ｃの縁部に連結され、後板１４ｂと平行に下方に延びた前板１４ｄとを有している。前板１４ｄの高さは、下部構造体１２の前板１２ｃの高さと略同じである。また、後板１４ｂの外面と前板１４ｄの外面との間隔は、図２に示されるようにＷである。
【００１７】
なお、上部構造体１４の底板１４ａ、後板１４ｂ、傾斜板１４ｃ、及び前板１４ｄも、下部構造体１２と同様に、好ましくは、鋼板を折り曲げることによって一体に形成されている。
【００１８】
以上の構成により、図２に示されるように、上部構造体１４を下部構造体１２に嵌め込むことができる。嵌め込みは、図３に示されるように、上部構造体１４の前板１４ｄを下部構造体１２の前板１２ｃの内側に接触させた状態で、上部構造体１４の後板１４ｂを下部構造体１２内に挿入することによって行われる。
【００１９】
なお、橋面排水溝１０には、下部構造体１２に嵌め込まれた上部構造体１４が脱落しないように、所定間隔隔てて固定装置２０が設けられている。固定装置２０は、上部構造体１４の後板１４ｂにピン２２によって回動可能に取付けられたアーム部材２４と、下部構造体１２の後板１２ｂに設けられた突起２６とを有しており、アーム部材２４を図１（ｂ）に示されるように押し込んだときにアーム部材２４の先端が突起２６に係止するようになっている。また、上部構造体１４の下部構造体１２への嵌め込みを一層容易にするため、図３（ｂ）に示されるように、下部構造体１４の前板１４ｄに凹部１５を設け、上部構造体１２の前板１２ｃに凹部１５に対応する凸部１７を設けてもよい。或いは、前板１４ｄに凸部を設け、前板１２ｃに対応する凹部を設けてもよい。かかる構成により、橋面排水溝１０を設置するときは、上部構造体１４を下部構造体１２に嵌め込んだ後にアーム部材２４を押し込んでアーム部材２４の先端を突起２６に係止させることによって、上部構造体１４が脱落しないようにすることができる。一方、橋面排水溝１０のメンテナンス等のため橋面排水溝１０を取り外す必要があるときは、アーム部材２４を回動させてアーム部材２４の先端と突起２６との係止を解除することによって、上部構造体１４を取り外すことができる。
【００２０】
上部構造体１４の傾斜板１４ｃには、適当な間隔を隔てて、複数の開口２８が設けられている。これらの開口２８は、橋面排水溝１０に流入する雨水の流入口となる。
【００２１】
好ましくは、上部構造体１４の傾斜板１４ｃには、開口２８を塞ぐカバー装置が取付けられている。橋面排水溝１０内を洗浄して汚泥物や他の堆積物を除去するために橋面排水溝１０内に高圧水を噴射することがあるが、カバー装置は、このような場合に、開口２８から高圧水が外部に噴出するのを阻止する役目を果たす。
【００２２】
図４〜図７には、種々の形式のカバー装置が示されている。図４に示されるカバー装置３０は、開口２８を被覆するカバー３２と、カバー３２を上部構造体１４の傾斜板１４ｃに回動可能に取付けるシャフト３４とを有している。そして、通常時は、カバー３２がそれ自体の重量により垂下するため、開口２８が開くことになるが、洗浄時に高圧水が注入されるとカバー３２に水圧が加えられるため、図４（ａ）に示されるように、カバー３２が回動して開口２８を塞ぐようになっている。
【００２３】
図５に示されるカバー装置４０は、カバーが通常時にはカバー自体の重量ではなくバネ付勢されて下方に垂れ下がる点を除いて、カバー装置３０と実質的に同一である。すなわち、カバー装置４０は、開口２８を被覆するカバー４２と、カバー４２を上部構造体１４の傾斜板１４ｃに回動可能に取付けるシャフト４４とを有しており、カバー４２は、通常時は、シャフト４４に装着されたバネ（図示せず）によって垂下するように付勢されている（図５（ｂ）参照）。そして、洗浄時に高圧水が注入されるとカバー４２に水圧が加えられ、これにより、図５（ａ）に示されるように、カバー４２がバネ力に抗して回動して開口２８を塞ぐようになっている。
【００２４】
図６に示されるカバー装置５０は、傾斜板１４ｃに対して間隔ｄを隔てて開口２８を被覆するＬ形カバー５２を有している。図７に示されるカバー装置５４は、Ｌ形カバー５６が複数の開口２８を被覆している点を除いて、カバー装置５０と実質的に同一である。
【００２５】
図８は、橋面排水溝１０が設置されている状態を示した図である。橋面排水溝１０は、下部構造体１２を設置箇所に固定し、その後、上述のようにして、上部構造体１４を下部構造体１２に嵌め込むことによって設置される。
【００２６】
図９は、本発明の第２の実施の形態に係る橋面排水溝を示した図２と同様な図である。図９において全体として参照符号６０で示される本発明の第２の実施の形態に係る橋面排水溝は、上部構造体の傾斜板が、頂板側の傾斜部と、前板側の水平部とによって形成されている点を除いて、橋面排水溝１０と実質的に同一である。すなわち、橋面排水溝６０は、鋼製の下部構造体６２と、鋼製の上部構造体６４とを備えており、下部構造体６２が、底板６２ａと、後板６２ｂと、前板６２ｃとを有しており、上部構造体６４が、頂板６４ａと、後板６４ｂと、傾斜部６４ｃおよび水平部６４ｄによって形成された傾斜板と、前板６４ｅとを有している。傾斜部６４ｃと水平部６４ｄには、開口２８が設けられている。
【００２７】
本発明は、以上の発明の実施の形態に限定されることなく、特許請求の範囲に記載された発明の範囲内で、種々の変更が可能であり、それらも本発明の範囲内に包含されるものであることはいうまでもない。
【００２８】
たとえば、前記実施の形態では、開口２８およびカバー３２、４２が四分の一円の形状を有しているが、矩形等の他の形状を有していてもよい。
【００２９】
【発明の効果】
本発明によれば、上部構造体が嵌め込み式であるので、橋面排水溝の設置や交換が容易である。また、カバー装置を備えているので、高圧水による洗浄に際しても洗浄水が開口から噴出することがない。さらに、橋面排水溝の内部が排水路になり横引管を設ける必要がないので、橋梁の景観が損なわれることもない。
【図面の簡単な説明】
【図１】本発明の第１の実施の形態に係る橋面排水溝を示した図であって、（ａ）は正面図、（ｂ）は平面図、（ｃ）は側面図である。
【図２】図１の橋面排水溝の上部構造体と下部構造体を示した断面図である。
【図３】（ａ）は、図１の橋面排水溝の上部構造体を下部構造体に嵌め込む過程を示した図、（ｂ）は、上部構造体と下部構造体の前板部分の拡大図である。
【図４】１つの形態のカバー装置を示した図であって、（ａ）は、開口が塞がれている状態を示した図、（ｂ）は、（ａ）の線４ｂ−４ｂから見た図（但し、図面の簡単化のため、上部構造体と下部構造体は省力されている）である。
【図５】別の形態のカバー装置を示した図であって、（ａ）は、開口が塞がれている状態を示した図、（ｂ）は、開口が開いている状態を示した図である。
【図６】更に別の形態のカバー装置を示した図であって、（ａ）は、開口付近を示した図、（ｂ）は、（ａ）の線６ｂ−６ｂから見た図である。
【図７】更に別の形態のカバー装置を示した図であって、（ａ）は、開口付近を示した図、（ｂ）は、（ａ）の線７ｂ−７ｂから見た図である。
【図８】図１の橋面排水溝が設置されている状態を示した図である。
【図９】本発明の第２の実施の形態に係る橋面排水溝を示した図２と同様な図である。
【符号の説明】
１０、６０  橋面排水溝
１２、６２  下部構造体
１４、６４  上部構造体
２０  固定装置
２８  開口
３０、４０、５０、５４  カバー装置
【図１】
0004303399.tif 000002
【図２】
0004303399.tif 000003
【図３】
0004303399.tif 000004
【図４】
0004303399.tif 000005
【図５】
0004303399.tif 000006
【図６】
0004303399.tif 000007
【図７】
0004303399.tif 000008
【図８】
0004303399.tif 000009
【図９】
0004303399.tif 000010